(57)【要約】【課題】合成室内の清浄度の向上を図ることが可能なホットセルを提供すること。【解決手段】室内の圧力を大気圧より低い第２の圧力に保持可能な陰圧室２２と、室内を陰圧室２２より高い圧力に保持可能な陽圧室（合成室）２１とを備える構成とする。これにより、陰圧室２２からホットセル１０外部への放射性物質の流出を防止すると共に、陰圧室２２から陽圧室２１への異物（ちり、埃など）の侵入を防止する。【選択図】図１
2013200302.tif 000002
【特許請求の範囲】
【請求項１】
放射線の透過を抑制する放射線遮蔽壁を有するホットセルであって、
前記放射線遮蔽壁によって形成された箱であるホットセル本体と、
前記ホットセル本体内に形成され、内部を第１の気圧に保持可能であると共に放射性薬剤取り扱い装置が収容される陽圧室と、
前記ホットセル本体内に形成され、内部を前記第１の気圧より低く且つ大気圧より低い第２の気圧に保持可能な陰圧室と、を有するホットセル。
【請求項２】
前記陰圧室は、前記ホットセル本体の開口部と前記陽圧室との間に配置されている請求項１に記載のホットセル。
【請求項３】
前記陽圧室は、内部を大気圧よりも高い前記第１の気圧に保持可能である請求項１又は２に記載のホットセル。
【請求項４】
前記陽圧室内の圧力を上昇させる昇圧手段と、
前記陽圧室内に導入される気体中から異物を除去するフィルターとを備える、請求項１〜３に何れか一項に記載のホットセル。
【請求項５】
前記陽圧室内に導入される気体は、前記陽圧室の上部側から導入され、
前記陽圧室から導出される気体は、前記陽圧室の下部側から導出される、請求項１〜４の何れか一項に記載のホットセル。
【発明の詳細な説明】
【技術分野】
【０００１】
本発明は、ホットセルに関する。
【背景技術】
【０００２】
放射線の透過を遮蔽する放射線遮蔽壁によって構成されたホットセル（放射線遮蔽箱）が知られている。放射性物質を他の物質に標識する合成装置など、放射性物質を取り扱う装置は、ホットセル内の室内に収容されて使用される（例えば特許文献１参照）。なお、このように、室内に合成装置を収容可能であり、放射線の外部への透過を抑制可能な部屋を合成室ともいう。ホットセルには、清浄度が向上された空気を合成室内に供給するためのクリーンユニットが設けられている。クリーンユニットは、空気中のちり（異物）除去するＨＥＰＡフィルターと、合成室内へ空気を導入するファンとを備えている。クリーンユニットによって異物が除去されて清浄度が向上された空気が、合成室内に導入される。一方、ホットセルは、合成室内の空気を外部に漏らさないようにするため、合成室内は陰圧に保持されている。
【先行技術文献】
【特許文献】
【０００３】
【特許文献１】特開２００６−３４３２８９号公報
【発明の概要】
【発明が解決しようとする課題】
【０００４】
近年、ホットセルの合成室内の清浄度の更なる向上が求められている。上記の従来のホットセルでは、合成室内が陰圧に保持されているため、クリーンユニットを通過せずに、合成室内に外部の空気が侵入してしまうおそれがあった。本発明は、合成室内の清浄度の向上を図ることが可能なホットセルを提供することを目的とする。
【課題を解決するための手段】
【０００５】
本発明は、放射線の透過を抑制する放射線遮蔽壁を有するホットセルであって、放射線遮蔽壁によって形成された箱であるホットセル本体と、当該ホットセル本体内に形成され、内部を第１の気圧に保持可能であると共に放射性薬剤取り扱い装置が収容される陽圧室と、ホットセル本体内に形成され、内部を第１の気圧より低く且つ大気圧より低い第２の気圧に保持可能な陰圧室と、を有するホットセルを提供する。
【０００６】
このようなホットセルは、室内の圧力を大気圧より低い第２の圧力に保持可能な陰圧室と、室内を陰圧室より高い圧力に保持可能な陽圧室とを備える構成であるため、陰圧室からホットセル外部への放射性物質の流出を防止すると共に、陰圧室から陽圧室への異物（ちり、埃など）の侵入を防止することができる。そのため、陽圧室内への異物の侵入を抑制して清浄度の向上を図ると共に、放射性物質の流出を防止することが可能なホットセルを提供することができる。
【０００７】
陰圧室は、ホットセル本体の開口部と陽圧室との間に配置されていることが好ましい。この構成によれば、ホットセル本体の開口部側に陰圧室を配置し、その奥（背面側）に陽圧室を配置することができる。陽圧室よりも開口部側に陰圧室を備える構成であるため、陰圧室からホットセル外部への放射性物質の流出を防止する共に、陰圧室から陽圧室への異物（ちり、埃など）の侵入を防止することができる。そのため、陽圧室内への異物の侵入を一層抑制して清浄度の向上を図ることができる。
【０００８】
また、陽圧室は、内部を大気圧よりも高い第１の気圧に保持可能であることが好ましい。陽圧室内が大気圧より高い場合には、陰圧室と陽圧室との圧力差を大きくすることができ、陽圧室の外部からの異物の混入を防止することができる。
【０００９】
ホットセルは、陽圧室内の圧力を上昇させる昇圧手段と、陽圧室内に導入される気体中から異物を除去するフィルターとを備える構成としてもよい。この構成のホットセルによれば、昇圧手段によって陽圧室内の圧力を上昇させることができ、フィルターによって異物が除去された気体を、陽圧室内へ導入することができる。
【００１０】
陽圧室内に導入される気体は、陽圧室の上部側から導入され、陽圧室から導出される気体は、陽圧室の下部側から導出されることが好適である。上部側から気体を導入し、下部側から気体を導出することで、陽圧室内に上方から下方への気体の流れ形成することができる。陽圧室の異物を舞い上げることなく、陽圧室外へ排出することができる。
【発明の効果】
【００１１】
このように本発明のホットセルによれば、陽圧室（合成室）内の清浄度の向上を図ることができる。
【図面の簡単な説明】
【００１２】
【図１】本発明の実施形態に係るホットセルの断面図であり、側面と平行な断面を示すものである。
【図２】本発明の実施形態に係るホットセルの断面図であり、正面と平行な断面を示すものである。
【図３】ホットセル本体の正面断面図であり、内扉及び小扉の配置を示す図である。
【発明を実施するための形態】
【００１３】
以下、本発明に係るホットセルの好適な実施形態について図面を参照しながら説明する。なお、図面の説明において、同一又は相当要素には同一の符号を付し重複する説明は省略する。また、上下左右等の位置関係は、図面の位置関係に基づくものとする。
【００１４】
図１及び図２に示すホットセル１０は、箱型を成すホットセル本体１１を備えている。ホットセル本体１１は、ホットセル本体１１の正面開口部を開閉する正面扉（開閉扉）１２と、正面扉１２と対向して配置された壁体である背面壁１３と、天面に配置されに配置された壁体である天面壁１４と、底面に配置された壁体である底面壁１５と、側面に配置された壁体である一対の側壁１６とを有する。なお、以下の説明において、背面壁１３、天面壁１４、底面壁１５、及び側壁１６を区別する必要がない場合には、壁体１３〜１６と称することもある。
【００１５】
ホットセル本体１１を構成する正面扉１２、及び壁体１３〜１６は、放射線の透過を抑制する放射線遮蔽壁によって形成されている。放射線遮蔽壁は、例えば鉛によって形成されている。ホットセル本体１１内に収容される放射性物質に応じて、放射線遮蔽壁の材質を適宜変更してもよい。
【００１６】
ホットセル本体１１の正面開口部は、ホットセル本体１１の内部に収容される対象物１００の出し入れに利用されるものである。ホットセル本体１１の内部に収容される対象物１００としては、例えば、放射性物質を他の物質に標識する（放射性物質を基に放射性薬剤を合成する）合成装置、放射性薬剤の品質を検定する品質検定装置などが挙げられる。これらの対象物を以降は「放射性薬剤取り扱い装置（放射性物質取り扱い装置）」とする。
【００１７】
ホットセル本体１１の開口部は、正面側に形成されるものに限定されず、側面、天面、底面、背面に形成されているものでもよい。また、開口部は、複数形成されていてもよい。正面扉１２は、放射性遮蔽壁によって形成されている。
【００１８】
正面扉１２は、例えば、側壁１６の正面側の端部に設けられたヒンジ（不図示）に固定されて、揺動可能に支持されている。正面扉１２は、左右一対の扉を有する構成とされている。正面扉１２は、開口部を開閉可能なものであればよく、扉を形成する壁体が摺動するものでもよく、揺動するものでもよい。なお、正面扉１２は、対向する背面壁１３と同一の面積でもよく、背面壁１３よりも小さい面積の開口部を覆う扉でもよい。ホットセル１０が正面壁を備え、その正面壁に形成された開口部を開閉する正面扉を備える構成でもよい。
【００１９】
ホットセル本体１１には、内部を第１の気圧に保持可能な陽圧室２１と、内部を第１の気圧よりも低い第２の気圧に保持可能な陰圧室２２とが形成されている。第１の気圧は、大気圧より高い圧力であることが好ましい。
【００２０】
陽圧室２１は、放射性薬剤取り扱い装置１００（例えば合成装置）を収容可能な空間を形成する。なお、ホットセル本体１１内は、他の壁体（仕切板２４）によって複数の空間に区切られ、複数の陽圧室２１を備える構成でもよい。ホットセル本体１１は、内部を左右方向に区切る仕切板２４を備え、左右方向に複数の陽圧室２１を有する。本実施形態では、仕切板２５によって上下方向に区切られている。仕切板２４，２５は、放射線遮蔽壁によって形成されていてもよく、放射線を透過する壁体によって形成されていてもよい。
【００２１】
陽圧室２１は、陽圧室２１の正面開口部を開閉する内扉２３と、上記の背面壁１３と、天面壁１４と、底面壁１５と、側壁１６と、仕切板２４〜２６とによって形成されている。なお、陽圧室２１内は、他の壁体（仕切板２５）によって複数の空間に区切られていてもよい。本実施形態では、仕切板２５によって上下方向に区切られている。仕切板２５は、放射線遮蔽壁によって形成されていてもよく、放射線を透過する壁体によって形成されていてもよい。仕切板２５には、図示しない通気孔が設けられ、上段側の陽圧室２１と、下段側の陽圧室２１とが連通している。また、下段側の陽圧室２１の底部は、仕切板２６によって覆われている。なお、仕切板２６と底面壁１５との間には、陰圧室２２に連通する空間２２ｂが形成されている。
【００２２】
陽圧室２１の開口部は、内部に収容される放射性薬剤取り扱い装置１００の出し入れに利用されるものである。陽圧室２１の開口部は、正面側に形成されるものに限定されない。陽圧室２１の開口部は、ホットセル本体１１の開口部に対応する位置に形成されている。本実施形態では、ホットセル本体１１の開口部が正面側に配置されているため、陽圧室２１の開口部も陽圧室２１の正面側に形成されている。内扉２３は、陽圧室２１の開口部を開閉可能なものであればよく、扉を形成する壁体が摺動するものでもよく、揺動するものでもよい。内扉２３は、放射性遮蔽壁によって形成されていてもよく、放射線を透過する壁体によって形成されているものでよい。
【００２３】
陰圧室２２は、陽圧室２１よりもホットセル本体１１の開口部（正面扉１２）側に形成されている。陰圧室２２は、正面扉１２と、内扉２３と、天面壁１４の正面側の端部と、底面壁１５の正面側の端部と、一対の側壁１６の正面側の端部によって形成されている。陰圧室２２は、ホットセル本体１１の開口部（正面扉１２）と陽圧室２１との間に配置され、内部を第１の気圧より低く且つ大気圧より低い第２の気圧に保持可能である。
【００２４】
また、ホットセル１０は、陽圧室２１内に清浄度が向上された空気を導入するクリーンユニット３１と、陰圧室２２内の気体（空気）をホットセル１０の外部に排出する排気ユニット４１とを備えている。本実施形態のホットセル１０は、複数の陽圧室２１を備えている。上段側に設けられた陽圧室２１にクリーンユニット３１が設けられている。
【００２５】
クリーンユニット３１は、空気中の異物（ちり、ほこりなど）を除去するＨＥＰＡフィルターと、空気を陽圧室２１内に供給するためのファンとを有する。なお、ＨＥＰＡフィルターは、ファンの上流側に配置されていてもよく、ファンの下流側に配置されていてもよい。クリーンユニット３１は、例えば、天面壁１４に設けられている。なお、クリーンユニット３１は、その他の壁体（側壁１６、背面壁１３など）に設けられていてもよい。また、陽圧室２１に連通する配管（給気管）に、クリーンユニット３１が設けられていてもよい。
【００２６】
排気ユニット４１は、陰圧室２２に連通する排気管４２と、排気管４２に設けられた排気用ブロア４３とを備えている。排気管４２は、例えば、陰圧室２２（２２ｂ）の底面側に接続され、ホットセル本体１１の下方から、背面壁１３の外側を上方へ進むように配置されている。排気用ブロア４３は、例えば、ホットセル本体１１の天面壁１４上に配置されている。排気用ブロア４３は、例えば、排気用ブロア４３よりも上流側（陰圧室２２側）の排気管４２内の空気を吸引するためのファン等の吸引手段により構成される。なお、吸引手段は、ファンに限定されず、他の機構を用いても良い。
【００２７】
また、正面扉１２及び内扉２３に開口部が設けられ、この開口部を開閉する小扉２３ｂを備える構成としてもよい。図３に示すように、例えば下段の内扉２３に、小扉２３ｂが設けられ、上段の内扉２３に小扉２３ｂが設けられていない構成でもよい。なお、正面扉１２の小扉は図示していないが、内扉２３の小扉２３ｂに対応する位置に設けられている。正面扉１２及び内扉２３を開閉せずに、小扉２３ｂを開閉することで、陽圧室２１内の圧力、清浄度への影響を抑えつつ、陽圧室２１内への物の出し入れや、陽圧室２１内の放射性薬剤取り扱い装置１００の操作などを行うことができる。
【００２８】
次に、ホットセル１０の作用について説明する。ホットセル１１の陽圧室２１内には、例えば合成装置が配置されている。クリーンユニット３１によって異物が除去されて清浄度が向上された空気が、陽圧室２１内に導入される。陽圧室２１内は、第１の気圧に保持される。第１の気圧は、例えば、大気圧よりも高い圧力である。
【００２９】
排気用ブロア４３は、陰圧室２２内の空気を吸引する。陰圧室２２内は、第１の気圧よりも低く、大気圧よりも低い第２の気圧に保持される。陽圧室２１内の空気は、内扉２３の周囲に形成された隙間などを通じて、陰圧室２２内に流入する（陽圧室２１と陰圧室２２とは連通している）。陰圧室２２内の空気は、排気用ブロア４３によって吸引され、排気管４２内を流れてホットセル１０外に排出される。また、正面扉１２の周囲に形成された隙間などを通じて、陰圧室２２内に侵入した空気は、陽圧室２１内へ侵入することなく、排気ユニット４１によりホットセル１０外へ排気される。ホットセル１０から排出される空気は、例えば、活性炭フィルターなどを通って、排気設備へ送られ所定の処理が行われる。
【００３０】
放射性薬剤取り扱い装置１００は、ＰＥＴ（Ｐｏｓｉｔｒｏｎ  Ｅｍｍｉｓｉｏｎ  Ｔｏｍｏｇｒａｐｈｙ）診断等で使用される放射性薬剤を取り扱い、この放射性薬剤は患者に投与されるため異物の混入はできる限り少なくすることが要求される。このため、ホットセル１０内において放射性薬剤取り扱い装置１００が設けられる部屋は、その外部からの異物の侵入ができる限り抑制されていることが望ましい。
【００３１】
本実施形態のホットセル１０によれば、内部を第１の気圧に保持可能な陽圧室２１、及び内部を第１の気圧より低く且つ大気圧より低い第２の気圧に保持可能な陰圧室２２を備える構成であるため、陰圧室２２からホットセル本体１１外への放射性物質の流出を防止すると共に、陰圧室２２から陽圧室２１への異物（ちり、埃など）の侵入を防止することができる。そのため、陽圧室２１内への異物の侵入を抑制して清浄度の向上を図ると共に、放射性物質の流出を防止することが可能なホットセルを提供することができる。本実施形態のホットセル１０では、陽圧室２１内を例えばクラス１００の清浄度に維持することができる。陽圧室２１よりも正面扉１２（開口部）側に陰圧室２２を備える構成であると、陰圧室２２から開口部を通じて放射性物質が流出してしまうおそれを低減することができる。
【００３２】
また、陽圧室２１の内部が大気圧よりも高い第１の気圧に保持されているので、ホットセル１０の外部から陽圧室２１内への異物の侵入が確実に防止される。
【００３３】
また、本実施形態のホットセル１０では、陽圧室２１内に導入される空気は、陽圧室２１の上部側から導入され、陽圧室２１から導出される空気は、陽圧室２１の下部側から導出されている。上部側から空気を導入し、下部側から空気を導出することで、陽圧室２１内に上方から下方への気体の流れ形成することができる。例えば、陽圧室２１内に異物が存在する場合であっても、異物を舞い上げることなく、陽圧室２１外へ排出することができる。
【００３４】
以上、本発明の実施形態について詳細に説明したが、本発明は、上記実施形態に限定されるものではない。例えば、陽圧室内の圧力（第１の気圧）は、大気圧よりも高い場合に限定されず、大気圧でもよく、大気圧よりも低い圧力でもよい。
【００３５】
また、ホットセルは、クリーンユニット（昇圧手段（ファンなど）、フィルター）を備えていない構成でもよい。例えば、清浄度が向上された空気が充填された容器（ボンベなど）から、陽圧室２１内に空気を導入してもよい。
【００３６】
また、陽圧室２１内に導入される気体は、空気に限定されず、その他の気体（例えば、不活性ガスなど）でもよい。また、陽圧室２１の上部側から気体を導入してもよく、例えば、下部側や中段から導入してもよい。同様に陽圧室２１の下部側から気体を導出してもよく、上部側や中段から導出してもよい。例えば、陰圧室２２の上部側から空気を導出する構成でもよい。
【００３７】
また、昇圧手段は、クリーンユニット３１のファンに限定されず、コンプレッサーなどその他の昇圧手段でもよい。
【００３８】
また、上記実施形態では、複数の陽圧室２１を備える構成を例示しているが、一つの陽圧室２１を備える構成でもよい。また、陰圧室２２は、複数の陽圧室２１に対して共通の陰圧室でもよく、各陽圧室２１に対応してそれぞれ陰圧室２２を備える構成でもよい。また、上記実施形態では、陽圧室２１の底面側に陰圧室２２に連通する空間２２ｂが形成されているが、陽圧室２１の底面側に空間２２ｂが形成されていない構成でもよい。
【００３９】
また、放射性薬剤取り扱い装置１００が放射性薬剤の品質を検定する放射性薬剤の品質検定装置であると、品質検定した放射性薬剤を破棄せずにそのまま患者に投与することができる。従来の放射性薬剤の品質検定では、その１工程である無菌試験用バイアルびんへの放射性薬剤の滴下操作を作業者による手動で行っていた。作業者の手がホットセル内に侵入するため、ホットセル内に異物が混入しやすかった。そのため、品質検定で使用された放射性薬剤は、患者への投与には使用されず、破棄されていた。しかし、最近では、放射性薬剤の品質検定の自動化が要求されている。品質検定を機械により自動化し、且つ、本発明のようなホットセルを用いることで、品質検定を行った放射性薬剤への異物の混入を抑制でき、品質検定を行った放射性薬剤をそのまま患者へ投与することが可能となる。
【符号の説明】
【００４０】
１０…ホットセル、１１…ホットセル本体、１２…正面扉（放射線遮蔽壁）、１３…背面壁（放射線遮蔽壁）、１４…天面壁（放射線遮蔽壁）、１５…底面壁（放射線遮蔽壁）、１６…側壁（放射線遮蔽壁）、２１…陽圧室（合成室）、２２…陰圧室、３１…クリーンユニット、１００…放射性薬剤取り扱い装置。
【図１】
2013200302.tif 000003
【図２】
2013200302.tif 000004
【図３】
2013200302.tif 000005